(57)【要約】【課題】物支持部材を所望の高さ位置に固定することができるとともに、取付け孔を有する支柱を目立ちにくく、例えば、住宅の屋内の壁面にも違和感なく使用することのできる、物支持部材の支持構造１を提供すること。【解決手段】本発明の物支持部材の支持構造１は、複数の取付け孔２２が長手方向に沿って間欠的に形成された正面中央部２３と、正面中央部２３の両側に位置する一対の正面側部２４，２４とを有し、壁に高さ方向に延びて固定された支柱２と、該支柱２の正面側部２４を覆い且つ正面中央部２３と重なる隙間３６が形成されるように固定された一対の壁材３Ａ，３Ｂとを備え、取付け孔２２に、物支持部材４のフック部４２を係止させることにより、物支持部材４を壁に固定可能である。【選択図】図５
2017141655.tif 000002
【特許請求の範囲】
【請求項１】
複数の取付け孔が長手方向に沿って間欠的に形成された正面中央部と、該正面中央部の両側に位置する一対の正面側部とを有し、壁に高さ方向に延びて固定された支柱と、該支柱の前記正面側部を覆い且つ前記正面中央部と重なる隙間が形成されるように固定された一対の壁材とを備え、前記取付け孔に、物支持部材のフック部を係止させることにより、該物支持部材を壁に固定可能である、物支持部材の支持構造。
【請求項２】
一対の前記壁材のそれぞれは、前記支柱の側面に当接される側端面と、該側端面から突出し前記正面側部を被覆する被覆部とを有し、一対の該壁材を、それぞれの前記側端面を前記支柱の側面に当接させた状態に配置したときに、前記被覆部どうし間に、前記取付け孔と重なり、該取付け孔の幅の５０％以上１５０％以下の幅を有する隙間が形成されるようになされている、請求項１に記載の物支持部材の支持構造。
【請求項３】
前記被覆部どうし間に形成される前記隙間の幅が、前記取付け孔の前記幅の１００％以上１５０％以下である、請求項２に記載の物支持部材の支持構造。
【請求項４】
前記支柱が、該支柱どうし間に一枚又は複数枚の壁材を介在させた状態に複数本配置されており、物支持部材として、棚板を複数個所で支持する複数の棚板受け部材を壁に固定可能になされている、請求項１〜３の何れか１項に記載の物支持部材の支持構造。
【請求項５】
前記支柱どうし間に配置された壁材又は該支柱どうし間に配置された壁材どうしの連結部に、該壁材を貫通しない溝部が形成されており、該溝部と、前記支柱の正面に形成された前記一対の壁材どうし間の隙間の幅とが略一致している、請求項１〜４の何れか１項に記載の物支持部材の支持構造。
【請求項６】
物支持部材が、壁面に沿って配置される壁面固定部と、該壁面から離れる方向に、該壁面固定部から突出した物支持部とを備え、該壁面対向部の幅が、前記支柱の正面に形成された前記一対の壁材どうし間の隙間の幅より大きい、請求項１〜５の何れか１項に記載の物支持部材の支持構造。
【請求項７】
複数の取付け孔が長手方向に沿って間欠的に形成された正面中央部と、該正面中央部の両側に位置する一対の正面側部とを有する支柱と、該支柱の両側に配置される一対の壁材とを含み、一対の前記壁材のそれぞれは、前記支柱の側面に当接される側端面と、該側端面から突出し前記正面側部を被覆する被覆部とを有し、一対の該壁材を、それぞれの前記側端面を前記支柱の側面に当接させた状態に配置したときに、前記被覆部どうし間に、前記取付け孔と重なり、該取付け孔の幅の５０％以上１５０％以下の幅を有する隙間が形成されるようになされている、物支持部材の支持構造の構築セット。
【請求項８】
フック部を有し、該フック部を前記支柱の取付け孔に係止させることで、前記支柱に取付け可能な物支持部材を更に含む、請求項７に記載の物支持部材の支持構造の構築セット。
【発明の詳細な説明】
【技術分野】
【０００１】
本発明は、棚板等の物を支持する物支持部材の支持構造に関する。
【背景技術】
【０００２】
任意の高さ位置に棚板を固定できる棚板の支持構造として、複数の取付け孔が長手方向に沿って間欠的に形成された複数の金属製の棚柱と、取付け孔に挿入して係止させるフック部材を備えた棚受け部材と、棚受け部材上に固定される棚板とからなるものが知られている。また特許文献１には、そのような金属製の棚柱を利用し、一対の棚柱間にパイプ等を支持できるようにする棚柱用物受けブラケットが提案されている。
【先行技術文献】
【特許文献】
【０００３】
【特許文献１】特開２０１４−３９８７１号公報
【発明の開示】
【発明が解決しようとする課題】
【０００４】
前述した従来の棚板の支持構造においては、棚柱に棚受け部材等を固定するためには、棚柱の取付け孔に、棚受け部材等におけるフック部材を正面から挿入して係止させなければならないため、金属製の棚柱は、棚板の支持状態においても、その正面部が露出した状態となっている。そのため、金属製の棚柱の外観が、問題とならない用途、例えば、店舗において商品やカタログ等を陳列するための什器用や、住宅の物入れ内に棚を形成するため等に使用される一方、住宅の居室に、棚を形成するためには外観上使用しにくいという問題がある。
【０００５】
従って、本発明の目的は、住宅の屋内の壁面にも違和感なく使用することのできる、物支持部材の支持構造及びその構築に好ましく使用される構築セットを提供することにある。
【課題を解決するための手段】
【０００６】
本発明は、複数の取付け孔が長手方向に沿って間欠的に形成された正面中央部と、該正面中央部の両側に位置する一対の正面側部とを有し、壁に高さ方向に延びて固定された支柱と、該支柱の前記正面側部を覆い且つ前記正面中央部と重なる隙間が形成されるように固定された一対の壁材とを備え、前記取付け孔に、物支持部材のフック部を係止させることにより、該物支持部材を壁に固定可能である、物支持部材の支持構造を提供することにより、上記目的を達成したものである。
【０００７】
本発明は、複数の取付け孔が長手方向に沿って間欠的に形成された正面中央部と、該正面中央部の両側に位置する一対の正面側部とを有する支柱と、該支柱の両側に配置される一対の壁材とを含み、一対の前記壁材のそれぞれは、前記支柱の側面に当接される側端面と、該側端面から突出し前記正面側部を被覆する被覆部とを有し、一対の該壁材を、それぞれの前記側端面を前記支柱の側面に当接させた状態に配置したときに、前記被覆部どうし間に、前記取付け孔と重なり、該取り付け孔の幅の５０％以上１５０％以下の幅を有する隙間が形成されるようになされている、物支持部材の支持構造の構築セットを提供することにより、上記目的を達成したものである。
【発明の効果】
【０００８】
本発明の物支持部材の支持構造によれば、物支持部材のフック部を係止させる取付け孔を選択することで所望の高さ位置に物支持部材を固定することができるとともに、該取付け孔を有する支柱が目立ちにくく、例えば、住宅の屋内の壁面にも違和感なく使用することができる。
本発明の物支持部材の支持構造の構築セットによれば、取付け孔を有する支柱が目立ちにくく外観に優れた物支持部材の支持構造を容易に構築することができる。
【図面の簡単な説明】
【０００９】
【図１】図１は、本発明の物支持部材の支持構造の一実施形態の使用状態を示す木造住宅居室の壁面正面図である。
【図２】図２は、図１のＩＩ−ＩＩ線模式断面図である。
【図３】図３は、図１に示す支持構造に使用した支柱、及び該支柱に取り付ける物支持部材の一例としての棚板受け部材を示す斜視図である。
【図４】図４は、図１に示す支持構造に使用した支柱、及びその両側に配される一対の壁材を示す断面図である。
【図５】図５は、図２の一部を拡大して示す拡大断面図である。
【発明を実施するための形態】
【００１０】
以下、本発明をその好ましい実施形態に基づいて詳細に説明する。
本実施形態の物支持部材の支持構造１は、図１に示すように、棚板４１を支持する棚板受け部材等の物支持部材４を、住宅の居室の壁の任意の高さ位置に固定可能である。
本実施形態の物支持部材の支持構造１は、その構成要素として、図２に示すように、複数の支柱２と複数の壁材３とを備えている。
支柱２は、図３に示すように、金属製で棒状をなし、断面形状がコ字状を有している。また、支柱２は、部屋の内部側に向けられる正面２１と、支柱２に隣接させて配置される壁材３と対向配置される一対の側面２５，２５とを有している。より具体的には、一対の側面２５，２５は、正面２１に対して垂直に形成されている。
支柱２は、その正面２１の幅方向中央部が、本発明における正面中央部２３であり、該正面中央部２３には、複数の取付け孔２２が支柱２の長手方向に沿って間欠的に形成されている。また、支柱２の正面２１における正面中央部２３を挟む両側が、取付け孔２２が形成されていない正面側部２４，２４となっている。
【００１１】
支柱２は、その長手方向における複数個所に、固定用孔（図示せず）を有しており、木ネジ等の棒状固定具５１を、それらの固定用孔に挿通して、壁下地材５に螺入等することで、壁下地材５に固定される。支柱２は、その長手方向を、壁の高さ方向Ｘに一致させて固定される。また、支柱２を固定する対象は、図２に示すように面材であっても良いが、木造住宅の柱や間柱、鉄骨造の建物の鉄製の柱等であっても良く、コンクリート製の壁に直貼りしても良い。支柱２を固定する面材としては、壁下地材として使用される各種のものが挙げられ、例えば、合板、ＬＶＬパネル、石膏ボード等が挙げられる。
【００１２】
本実施形態の物支持部材の支持構造１は、その構成要素として、個々の支柱２に隣接して配置される一対の壁材３Ａ，３Ｂを備えている。個々の支柱２に隣接して配置される一対の壁材３Ａ，３Ｂは、図４に示すように、支柱２側の側部３１に、支柱２の側面２５の断面形状に対応する断面形状の切欠き３２を有しており、該側部３１には、支柱２の側面２５に当接される側端面３５と、該側端面３５から突出する被覆部３４とが形成されている。
そして、個々の支柱２に隣接して配置される一対の壁材３Ａ，３Ｂは、図５に示すように、その支柱２の正面側部２４，２４を覆った状態に壁下地材５に固定される。壁材３Ａ，３Ｂ及び後述する壁材３Ｃの壁下地材５等に対する固定方法としては、任意の方法を用いることができ、木ネジを用いても良いし、壁下地材５に固定したナット部材にボルトを螺入するようにしても良い。また、木ネジやボルト等の棒状固定具に代えて、接着剤を用いて固定しても良いし、棒状固定具と接着剤とを併用しても良い。棒状固定具を挿通するための固定用孔は、任意の場所に設けることができ、壁材３のそれぞれについて、壁の高さ方向Ｘにおける複数個所に設けることが好ましい。
一対の壁材３Ａ，３Ｂを固定する対象は、図２に示すように面材であっても良いが、木造住宅の柱や間柱、鉄骨造の建物の鉄製の柱等であっても良く、コンクリート製の壁に直貼りしても良い。壁材３Ａ，３Ｂや後述する壁材３Ｃを固定する面材としては、壁下地材として使用される各種のものが挙げられ、例えば、合板、ＬＶＬパネル、石膏ボード等が挙げられる。
【００１３】
本実施形態の物支持部材の支持構造１においては、支柱２及び該支柱２の両側の一対の壁材３Ａ，３Ｂが壁下地材５に固定されている状態において、個々の支柱２の正面側部２４が、図５に示すように、一対の壁材３Ａ，３Ｂの被覆部３４に覆われている一方、一対の壁材３Ａ，３Ｂの被覆部３４，３４どうし間に、個々の支柱２の正面中央部２３と重なる隙間３６が形成されている。そして、その隙間３６の存在により、支柱２の取付け孔２２に、物支持部材４のフック部４２を係止させることができ、それにより、該物支持部材４を、壁材３により形成される壁に固定可能である。
【００１４】
図３に示す棚板受け部材４は、本実施形態の物支持部材の支持構造１により壁に固定する物支持部材の一例であり、支柱２の取付け孔２２に挿入され、取付け孔２２の下縁部に係合するフック部４２を備えている。より詳細には、棚板受け部材４は、壁面に沿って配置される壁面固定部４４と、壁面から離れる方向Ｐに、該壁面固定部４４から突出した物支持部４５とを備えており、壁面固定部４４の支柱対向面４４ａの幅方向中央部から突出した板状部４３に、上下に間隔を置いて２つのフック部４２，４２が形成されている。２つのフック部４２，４２は、支柱２における、壁の高さ方向Ｘにおいて隣り合う２つの取付け孔２２にそれぞれ挿入して係止させることができる。また、棚板受け部材４における壁面固定部４４の下部には、補強用の棒状固定具挿入孔４４ｂが形成されており、フック部４２を取付け孔２２に挿入係止させた後、棒状固定具挿入孔４４ｂ及びフック部４２を係止させた取付け孔２２よりも下方に位置する取付け孔２２に、木ネジやボルト等の棒状固定具を挿入し、壁下地材５に螺入等することで、棚板受け部材４の固定状態を一層安定化させることができる。また、棚板受け部材４における物支持部４５には、棚板４１固定用の棒状固定具挿入孔４５ａが形成されており、本実施形態の物支持部材の支持構造１により支持させる前又は後に、木ネジやボルト等の棒状固定具を挿入し、棚板４１に螺入等することで、一対の棚板受け部材４に掛け渡した状態に棚板４１を固定することができる。
【００１５】
本実施形態の物支持部材の支持構造１によれば、複数の取付け孔２２が長手方向に沿って間欠的に形成された支柱２に、棚板受け部材等の物支持部材４のフック部４２を係止させて該物支持部材４を取付け可能としてあるため、フック部４２を係止させる取付け孔を選択することで、図１に示すように、任意の高さ位置に物支持部材４を固定することができる。また、一対の壁材３Ａ，３Ｂにより、その取付け孔２２を有する支柱２を目立ちにくくすることができるため、住宅の居室の壁に、棚板等の各種の物を取り付けるために使用することが容易となる。
なお、本発明の物支持部材の支持構造は、支柱２を１本のみ有するものであっても良い。支柱２が１本のみの場合であっても、単一の物支持部材のみで物を支持可能な物支持部材等を壁に支持固定することができる。単一の支持部材のみで物を支持可能な物支持部材としては、例えば、壁面に沿って配置される壁面固定部と、壁面から離れる方向Ｐに、該壁面固定部から突出した物支持部とを備え、該物支持部に、物を吊り下げるためのフックや貫通孔を有するもの等が挙げられる。吊り下げるものとしては、例えば、コートハンガーや植木鉢等が挙げられる。
【００１６】
また本実施形態の物支持部材の支持構造１は、図２に示すように、支柱２が、支柱２，２どうし間に複数枚（図示例は３枚）の壁材３Ａ〜３Ｃを介在させた状態に複数本配置されており、複数の支柱２のいずれについても、一対の壁材３Ａ，３Ｂが、被覆部３４が正面側部２４を覆い且つ正面中央部２３と重なる隙間３６が形成されるように壁下地材５に固定されている。
支柱２を支柱どうし間に一枚又は複数枚の壁材３を介在させて複数配置することにより、図１に示すように、物支持部材として、棚板４１を複数個所で支持する複数の棚板受け部材４を壁に固定可能である。これにより、住宅の居室の壁に、棚板４１を安定した状態に固定することができる。また、物支持部材として、コートハンガー等を掛けるパイプ等の棒状体を、両端部等の複数個所で支持する複数の棒状体の支持部材を壁に固定することもできる。
【００１７】
また本実施形態の物支持部材の支持構造１においては、支柱２，２どうし間に、羽目板である複数枚（図示例は３枚）の壁材３Ａ〜３Ｃを介在させてあり、該支柱２，２どうし間に配置された壁材どうしの連結部Ｊ１，Ｊ２、すなわち壁材３Ａと壁材３Ｃとの連結部Ｊ１及び壁材３Ｃと壁材３Ｂとの連結部Ｊ２のそれぞれに、壁材３を貫通しない溝部３７が形成されている。そして、その溝部３７の幅Ｗ４と、支柱２の正面に形成された一対の壁材３Ａ，３Ｂどうし間の隙間３６の幅Ｗ３とを略一致させてある。
【００１８】
物支持部材４のフック部４２を取付け孔２２に係止させるための隙間３６の幅Ｗ３と、壁材どうしの連結部Ｊ１，Ｊ２に形成する溝部３７の幅Ｗ４とを略一致させることにより、支柱２を一層目立ちにくくすることができるため、住宅の居室の壁に、棚板等の各種の物を取り付けるために使用することが一層容易となる。
ここで、溝部３７の幅Ｗ４と隙間３６の幅Ｗ３とが略一致という表現には、隙間３６の幅Ｗ３が、溝部３７の幅Ｗ４の７０％以上１３０％以下の場合が含まれる。隙間３６の幅Ｗ３は、溝部３７の幅Ｗ４の９０％以上１１０％以下であることが好ましく、溝部３７の幅Ｗ４と一致していることが更に好ましい。
なお、隙間３６の幅Ｗ３は、通常、１ｍｍ以上支柱２の幅Ｗ６未満であり、隙間３６の幅Ｗ３と溝部３７の幅Ｗ４の差（絶対値）は、好ましくは２ｍｍ以内であり、より好ましくは１ｍｍ以内である。
【００１９】
また、隣り合う支柱２間に複数の連結部Ｊ１，Ｊ２が存在する場合、それらの全部の連結部に、隙間３６の幅Ｗ３に略一致する溝部が存在することが好ましいが、いずれか一つの連結部のみに、隙間３６の幅Ｗ３に略一致する溝部が存在していても良い。そのような場合にも、支柱２を目立たなくする効果が期待できる。
また、隣り合う支柱２間に一枚の壁材のみが存在する場合においても、その壁材の表面に、該壁材を貫通しない溝部３７であって、隙間３６の幅Ｗ３が略一致する幅の溝部を形成することが好ましい。その場合にも、支柱２を目立たなくする効果が期待できる。
図２に示す実施形態では、連結部Ｊ１において連結される壁材３Ａ及び壁材３Ｃの各側部には、実加工として凸条部及び凹溝が形成されており、該凹溝に該凸条部を最大限挿入した状態において、溝部３７の幅Ｗ４が隙間３６の幅Ｗ３と略一致するようになされている。同様に、連結部Ｊ２において連結される壁材３Ｂ及び壁材３Ｃの各側部にも、実加工として凸条部及び凹溝が形成されており、該凹溝に該凸条部を最大限挿入した状態において、溝部３７の幅Ｗ４が隙間３６の幅Ｗ３と略一致するようになされている。
【００２０】
また本実施形態の物支持部材の支持構造１に使用した支柱２及びその両側に配置する壁材３Ａ，３Ｂは、図５に示すように、一対の壁材３Ａ，３Ｂを、それぞれの側端面３５を支柱２の側面２５に当接させた状態に配置したときに、該側端面３５から突出する被覆部３４どうし間に、前記支柱２の取付け孔２２と重なり、該取付け孔２２の幅Ｗ２の５０％以上１５０％以下の幅Ｗ３を有する隙間３６が形成されるようになされている。
隙間３６の幅Ｗ３が斯かる範囲内であると、取付け孔２２にフック部４２を挿入して係止させ易いことと、支柱２を目立たなくすることとの両立が容易となる。同様の観点及び被覆部３４の欠損を防止する観点から、隙間３６の幅Ｗ３は、取付け孔２２の幅Ｗ２の８０％以上１５０％以下であることが好ましく、取付け孔２２の幅Ｗ２の１００％以上１２０％以下であることが更に好ましい。
【００２１】
本実施形態の物支持部材の支持構造１においては、隙間３６の幅Ｗ３が上記の各範囲であることが好ましく、前述のように、一対の壁材３Ａ，３Ｂを、それぞれの側端面３５を支柱２の側面２５に当接させた状態に配置したときに、該隙間３６の幅Ｗ３が上記の各範囲となることが、施工時の負担を軽減しつつ、高精度の施工が可能となる点から好ましい。本発明の物支持部材の支持構造の構築セットの好ましい一実施形態は、そのように設計された支柱２及び一対の壁材３Ａ，３Ｂを含み、好ましくは更に前述した物支持部材及び／又は壁材３Ｃを含む。
【００２２】
本発明の物支持部材の支持構造１及び物支持構造の構築セットにおいては、一対の壁材３Ａ，３Ｂにおける、支柱２の正面側部２４を覆う部分（本実施形態においては被覆部３４）の厚みｔ１（図４参照）が、３ｍｍ以上であることが、被覆部３４の欠損防止及び奥行のある隙間３６として美観を向上させる点等から好ましく、より好ましくは３〜５ｍｍであり、更に好ましくは４〜５ｍｍである。また、一対の壁材３Ａ，３Ｂの支柱２の正面２１を覆う部分（本実施形態においては被覆部３４）の長さＬ１（図４参照）は、支柱２の幅Ｗ６の２０〜３０％であることが、支柱２を目立たなくする観点から好ましく、より好ましくは２３〜２８％であり、更に好ましくは２５〜２７％である。
【００２３】
また、物支持部材４は、フック部４２を取付け孔２２に係止して支柱２に取り付けたときに、壁面固定部４４と支柱２との間に、この被覆部３４の厚みｔ１と同じ幅の隙間が形成されることが、物支持部材４のガタツキ防止や、被覆部３４の欠損防止の点から好ましい。また、同様の観点から、物支持部材４は、壁材３Ａ，３Ｂに当接させる側の面の幅Ｗ５が、支柱２の幅Ｗ６の５０％〜５００％であることが好ましく、より好ましくは８０％〜３００％以上であり、更に好ましくは１００％〜２００％である。
また、物支持部材４は、壁面に沿って配置される壁面固定部４４の幅Ｗ５が、支柱２の正面に形成された一対の壁材３Ａ，３Ｂどうし間の隙間３６の幅Ｗ３より大きいことが、物支持部材４のガタツキ防止や、被覆部３４の欠損防止の点から好ましい。
【００２４】
本発明における壁材は、木質材であることが好ましいが、金属製、セラミック製の他の木質材以外の材料からなるものであっても良い。また、木質材としては、無垢材の他、集成材、合板、単板積層材、パーティクルボード、ファイバーボード（ＭＤＦ等）、ＯＳＢ等が挙げられる。
【００２５】
以上、本発明をその好ましい実施形態に基づき説明したが、本発明は種々変更が可能である。例えば、本発明の物支持部材の支持構造１は、建物内の部屋の周囲の全壁面に形成しても良く、該部屋を囲む複数の壁のうちの１つの壁のみに形成しても良く、各壁に形成する場合においてもその壁の全面に形成しても良いし、その壁の一部のみに形成しても良い。また、図１に示す例においては、物支持部材の支持構造１を、床Ｆから天井Ｃまでの間の略全域に亘るように形成したが、壁面の高さ方向の一部のみに、物支持部材の支持構造を形成しても良い。
【００２６】
また、物支持部材として、棚板を支持する棚板受け部材を固定する場合の棚板は、前述した各種木質材からなるものの他、ガラス製のもの、金属製のもの等であっても良い。また、物支持部材は、一対の物支持部材で、ポールを支持するものであっても良いし、単一の物支持部材で、照明器具やスピーカー等を支持するものであっても良い。また、物支持部材は、フック部を一つのみ有するものであっても良いし、フック部を３つ以上有するものであっても良い。
また隣り合う支柱２，２間に介在させる壁材３の枚数は、１枚又は２枚でも良く３枚以上であっても良い。
【符号の説明】
【００２７】
１  物支持部材の支持構造
２  支柱
２１  正面
２２  取付け孔
２３  正面中央部
２４  正面側部
２５  側面
３，３Ｃ  壁材
３Ａ，３Ｂ  支柱に隣接配置される壁材
３１  側部
３２  切欠き
３４  被覆部
３５  側端面
３６  隙間
３５  該側端面
３６  一対の壁材間に形成される隙間
３７  溝部
４  棚板受け部材（物支持部材）
４１  棚板
４２  フック部
４３  板状部
４４  壁面固定部
４４ａ  支柱対向面
４４ｂ  棒状固定具挿入孔
４５  物支持部
４５ａ  棒状固定具挿入孔
５  壁下地材
Ｗ２  取付け孔の幅
Ｗ３  一対の壁材間に形成される隙間の幅
Ｗ４  壁材どうしの連結部に形成される溝部の幅
Ｗ５  壁面固定部の幅
Ｗ６  支柱の幅
Ｊ１，Ｊ２  壁材どうしの連結部
【図１】
2017141655.tif 000003
【図２】
2017141655.tif 000004
【図３】
2017141655.tif 000005
【図４】
2017141655.tif 000006
【図５】
2017141655.tif 000007